(57)【特許請求の範囲】
【請求項１】
売上の明細を一枚のシート上に印字する印字手段と、前記シートを走行方向平行に左右にセパレートするセパレータ手段と、を有し、
前記セパレートされたシートの一方をレシート・シートとして発行し、他方を売上履歴を記録するジャーナル・シートとしてその内部に保管するように構成したことを特徴とする金銭登録機。
【請求項２】
前記印字手段は、ドット・インパクト印字方式、熱転写印字方式、インク・ジェット印字方式若しくはレーザー印字方式の何れか一の印字手段である請求項１に記載の金銭登録機。
【請求項３】
前記セパレータ手段は前記シートの走行路上に配置されたブレードにより構成され、前記シートは走行に伴って左右にセパレートされるように構成された請求項１に記載の金銭登録機。
【請求項４】
前記セパレータ手段は、シートを走行させるためのシート搬送用回転駆動シャフトと同軸上に取り付けられた円形カッターである請求項３に記載の金銭登録機。
【請求項５】
前記ジャーナル・シートは、セパレートされた後に巻取手段によってロール状に巻き取られるように構成された請求項１に記載の金銭登録機。
【発明の詳細な説明】
【０００１】
【産業上の利用分野】
この発明は、金銭登録機に関し、特にレシートを発行すると共に売上履歴を記録するジャーナル印字を行う金銭登録機の印字機構に関する。
【０００２】
【従来の技術】
従来、小売店等で使用されている金銭登録機若しくはＰＯＳ端末機等(以下、これらを「金銭登録機」という)は、内部に２台の印字装置が配備されていた。この印字装置は、顧客へ発行されるレシートを印字するためのレシート印字装置であり、他の印字装置は販売記録を印字するためのジャーナル印字装置である。従来、夫々の印字装置には、同一又は異なる幅のロール・シートが別個に用意されてきた。
【０００３】
ここで、レシート用及びジャーナル・シート用として同一幅のものを用いれば、２種類のロール・シートを管理保管しなければならない煩を回避することができる。しかしジャーナル・シートは販売履歴を記録するためのものであるから、自ずとレシートとは印字するべき項目が異なる。ジャーナル・シートには、売上管理上の情報である売上明細のみが印字される。一方、レシートには、店舗名、広告文、受取金額及び釣銭等ジャーナル・シートには印字されない情報項目が印字される。このため、通常レシートとジャーナル・シートとは異なる幅のロール・シートを用いるほうが合理的であり、従来においては、異なる幅のものを扱うように構成された金銭登録機の例が多い。
【０００４】
いずれの場合も、印字情報項目の違によって、レシート用とジャーナル用のロール・シートの消費量は相違し、両者のロール・シートの補充時期は一致しない。
【０００５】
【発明が解決しようとする課題】
このように、従来の金銭登録機は、レシート印字装置とジャーナル印字装置の２台の印字装置を具備し、さらに、それぞれの印字装置のための同一若しくは異なる幅のロール・シートと、２つのロール・シート収納部を内部に備える必要があった。このことは、金銭登録機の小型化を難しくしていたのみならず、金銭登録機のコストの大きな部分を占めていた2台の印字装置によって金銭登録機のコスト低下の妨げとなっていた。
【０００６】
また、２つのロール・シートの補充時期が一致しないため、それぞれのロール・シートを別個に補充しなければならない。ロール・シートの補充の時間中は、顧客は待たされることになり、顧客へのサービスの低下及び店舗運営の低効率化を招来していた。さらに、レシート用及びジャーナル用に別個の２種類の用紙を管理する必要があった。
【０００７】
このような従来の金銭登録機の課題に鑑みて、本発明は、金銭登録機の小型化、低コスト化及び高信頼性化に寄与し、維持管理が容易な金銭登録機を提供するにすることを目的にする。
【０００８】
【課題を解決するための手段】
前記従来技術の課題を解決するために、本発明に係る金銭登録機は、売上の明細を一枚のロール・シート上に印字する印字手段と、前記ロール・シートを走行方向平行に左右にセパレートするセパレータ手段と、を有し、前記セパレートされたロール・シートの一方をレシート・シートとして発行し、他方を売上履歴を記録するジャーナル・シートとして、切断後に巻取手段によってロール状に巻き取ることによって保管するように構成した。これによって、1台の印字装置でレシート印字及びジャーナル印字を可能とする。
【０００９】
ここで、前記印字手段は、ドット・インパクト印字方式、熱転写印字方式、インクジェット印字方式若しくはレーザー印字方式の何れでもよい。
【００１０】
また、前記セパレータ手段は、前記ロール・シートの走行路上に配置されたブレードにより構成され、前記ロール・シートは走行に伴って左右にセパレートされるように構成され、さらに、ロール・シートを走行させるためのセパレータ手段におけるロール・シート搬送シャフトと同軸上に取り付けられた円形カッターとする。
【００１１】
上記の構成により、本願発明に係る金銭登録機は、それぞれ一台の印字装置、一つのロール・シート及びロール・シート収納部分で構成され、レシート印字とジャーナル印字用に別個の印字機構及びロール・シート搬送機構を具備する必要がない。これにより本願発明は、部品点数の削減による製造コストの大幅削減、金銭登録機の小型化を実現した。
【００１２】
さらに、本発明は、印字された１つの用紙を搬送方向にレシートとジャーナルの２つにセパレートして発行するためにセパレートするためのセパレート装置を設けたことを特徴する。１つの用紙をセパレートするため、レシートとジャーナルの用紙補充時期に相違が生じず、一度の補充でレシートとジャーナルの用紙補充が可能となる。従って用紙補充回数がおよそ半減し、顧客サービス向上に合致し、且つ用紙コストを低減させた金銭登録機の実現が可能となる。
【００１３】
【実施例】
以下、本発明の好ましい実施例について、図面を参照しながら説明する。
【００１４】
上述したように、本発明の金銭登録機は、1台の印字装置により幅広のロール・シート１の一方の側にレシート印字を、他方の側にジャーナル印字を行い、印字後にセパレータ手段３がこれを左右にセパレートし、一方をレシートとして顧客に発行し、他方をジャーナルとして装置内に保管することを特徴とする。
【００１５】
本発明に係る金銭登録機においては、組み込まれる印字装置として、ドット・インパクト印字方式、熱転写印字方式、インク・ジェット印字方式のものを自由に選択できるが、これらの方式に係る印字装置に拘泥されるものではない。
【００１６】
図１は本願発明に係る金銭登録機における印字に関する部分の斜視図である。
【００１７】
ロール・シート収納部に収容されているロール・シート１は、シート走行経路に沿って搬送され、印字装置２に到達する。ロール・シート走行経路には、ロール・シート１を搬送する搬送ローラ手段、駆動機構等（図示せず）が設けられている。
【００１８】
当該実施例においては、向かって左側にレシート印字を、右側にジャーナル印字を行う。レシート印字欄には、店舗名若しくはロゴ、発行日時、商品やサービスの売上明細である商品若しくはサービス名、単価及び数量、そして受領金額、釣銭、消費税額等が印字される。ジャーナル印字欄には、
通常、日時と商品若しくはサービスの売上明細のみが印字される。従って、ジャーナル印字欄における印字情報の方がレシート印字欄よりも少ないのが通常である。
【００１９】
印字装置２におけるこれらの印字は、一連的に行われる。つまり、印字装置２がラインサーマル方式の熱転写の場合は、レシート欄とジャーナル欄の一行分を同時に印字する。ドット・インパクト方式若しくはインク・ジェット方式の場合は、印字ヘッド２ａが左右に駆動移動されつつ印字することによって、ロール・シート１のレシート欄とジャーナル欄を印字する。いずれの場合も、一行分が印字される毎に、ロール・シート搬送手段により一行分のシート送りが行われる。
【００２０】
印字装置２は、印字ヘッド２ａ（図においては熱転写式のサーマル・ヘッド２ａ）とロール・シート１を挟んでこれに対抗する位置に配置されロール・シート１を支えるプラテン２ｂとを備えている。
【００２１】
通常、顧客へ発行されるレシート・シートの上部には所定のメッセージ（小売店のロゴ、挨拶分等）をスタンプ印字することができる。このために、ロール・シート収納部と印字装置２との間にエレクトロ・スタンプ１０が設置される。エレクトロ・スタンプ１０の位置は、ロール・シート走行路の他の位置に置かれてもよい。
【００２２】
レシート印字とジャーナル印字が施された幅広のロール・シート１は、更に搬送され、搬送路上に配置されたセパレータ手段３を通過することとなる。ここで、該ロール・シート１は走行方向平行に左右にセパレートされる。当実施例においては、向かって左側がレシートとなり、右側がジャーナルとなるように構成している。
【００２３】
図２はセパレータ手段３の一例を示す。セパレータ手段３は、ロール・シート搬送シャフト７、ゴムローラー８、ブレード９により構成される。まず、印字が施されたロール・シート１がロール・シート搬送シャフト７とジャーナル・シート巻き取りスプール１１の回転によりセパレータ手段３の設置位置を通過する際に、ブレード９により走行方向平行に左右にセパレートされる。このブレード９のセパレートを補助するために、セパレータ手段３に対抗してロール・シート案内ガイド４を設置することができる。ロール・シート案内ガイド４は、ロール・シート１を裏側からブレード９に押し付けるようにすることにより、ロール・シート１のセパレート切断を容易にする。
【００２４】
セパレート時のレシートとジャーナル・シートは、あらかじめ夫々の印字領域を定めておく。図３は、印字後のロール・シート１を、レシート部とジャーナル部にセパレート切断する状態を示す図である。
【００２５】
ブレード９は、ロール・シート１をスムーズにカットするべく、金属若しくはセラミックス等の材質を薄く成形したものを用いる。その形状は、本実施例においては回転する円形刃としているが、固定の矩形若しくは三角形状の刃であっても良い。
【００２６】
セパレータ手段３がロール・シート１を左右に切断する際にはペーパーダストが生ずる。これを放置すれば、金銭登録機内部に配置された光検知器等の検知動作に悪影響を及ぼし金銭登録機のトラブルの原因となる。このため、ペーパーダスト収集カバー５をロール・シート案内ガイド４に設置すると良い。当該ペーパーダスト収集カバー５は、ロール・シート１の補充時等に合わせて定期的に清掃する。
【００２７】
図４は上記のように印字されたロール・シート１が、印字後にレシート部とジャーナル部にセパレートされた状態を示す。
【００２８】
セパレータ手段３によってセパレートされた用紙の一方はカッターアッセンブリー６ａとカッター受け６ｂとを備えたレシートカット手段６によってカットされ、レシート排出口１２より排出される。他方はジャーナル・シート巻取りスプール１１にジャーナル・シートとして巻き取られる。
図５は、上記のように構成される金銭登録機の制御を行う制御ブロックの一例を示す図である。
【００２９】
プログラムに基づいて動作する中央演算装置（以下、「ＣＰＵ」という）１３には、プログラムや定数データが記録されたＲＯＭ１４と、可変データを一時的に記録するＲＡＭ１５が接続されている。また、ＣＰＵ１３には、インターフェース１６を介して、プリンタ・コントローラ１８が接続される。プリンタ・コントローラ１８には、印字装置２を構成する各種検知装置や、印字ヘッド２ａを制御する印字ヘッド・コントローラ１７、エレクトロ・スタンプ１０、ロール・シート１の搬送を行うロール・シート搬送ローラ１９、ジャーナル・シート巻き取りスプール駆動手段２０、ロール・シート搬送シャフト駆動手段２１、前記レシートカット手段６等が接続されこれらの動作を制御する。
【００３０】
ＣＰＵ１３には、インターフェース１６を介して、テンキー入力や、バーコードスキャナ等によって必要な情報を入力する入力装置２２と、このような入力情報に基づいて、商品項目やその価格を表示するる表示装置２３が接続されている。バーコードスキャナによる商品コード入力の場合は、ＣＰＵ１３は、外部のインストア・プロセッサ等に格納されている価格参照ファイル（ＰＬＵファイル）にアクセスして、当該商品コードに係る商品名とその価格を構内通信回線を経由して読み出し、該読み出しデータを表示装置２３に表示し、印字装置２により、ロール・シート１に印字する。印字は、所定の形式に基づいて、ロール・シート１の一方の側にレシート情報を印字し、他方の側にジャーナル情報を印字する。
【００３１】
レシートのエレクトロ・スタンプ１０が押印された行ラインに対応するジャーナル・シート部は空白となる。ドット・インパクト方式の印字装置を用いる場合においては、あらかじめＲＯＭ１４に印字ヘッド２ａの送り範囲を記憶させておくことにより、該空白部分には印字ヘッド２ａを送らないようにしてもよい。このような制御によって印字時間を短縮することができる。
【００３２】
このようにして印字されたロール・シート１は、セパレータ手段３によってレシートとジャーナル・シートにセパレートされる。セパレートされた一方のロール・シート１は、レシートカット手段６によって切断され、レシートとしてレシート排出口１２から排出される。セパレートされた他方のロール・シート１は、ジャーナル・シートとしてジャーナル・シート巻取りスプール１１に巻き取られる。ジャーナル・シート巻取りスプール１１に巻き取られたジャーナル・シートは、ロール・シート１の補充の際に抜き取れば良い。
【００３３】
以上、本発明の実施形態について説明したが、本発明は、上記した実施形態以外にも種々変形することも可能である。例えば、印字装置２は、使用の態様、目的等に応じて選択すれば良い。印字装置の配置、ロール・シート１の収納位置、ジャーナルシートの巻取り位置については、金銭登録機全体の大きさやそれに組み込まれる各種装置の大きさに応じて定める。
【００３４】
【発明の効果】
以上説明したように本発明に係る金銭登録機においては、一台の印字装置を用いて、一つのロール・シート収納部に収められた１つのロール・シート上にレシート印字とジャーナル印字を行うので、装置の飛躍的小型化及び低コスト化が実現した。
【００３５】
また、１つのロール・シートを１つの印字装置で印字後にセパレートするので、レシートとジャーナル・シートの別々に用紙を補充する必要がなく、一度の一種類のロール・シートの補充でレシート・シートとジャーナル・シートの補充が行われることとなる。これによりロール・シートの補充回数は半減し、顧客サービス向上及びロール・シートの維持管理コストの軽減を実現した。
【００３６】
【図面の簡単な説明】
【図１】  本発明に係る金銭登録機における印字に関する部分の斜視図を示す。
【図２】  本発明におけるセパレータ手段の例を示す。
【図３】  レシート印字とジャーナル印字の例を示す。
【図４】  セパレート後のレシート排出口の例を示す。
【図５】  本発明における金銭登録機の制御ブロックの例を示す。
【符号の説明】
１    ロール・シート
２    印字装置
２ａ  印字ヘッド
２ｂ  プラテン
３    セパレータ手段
４    ロール・シート案内ガイド
５    ペーパーダスト収集カバー
６    レシートカット手段
７    ロール・シート搬送シャフト
８    ゴムローラー
９    ブレード
１０  エレクトロ・スタンプ
１１  ジャーナル・シート巻取りスプール
１２  レシート排出口
【図１】
0004009364.tif 000002
【図２】
0004009364.tif 000003
【図３】
0004009364.tif 000004
【図４】
0004009364.tif 000005
【図５】
0004009364.tif 000006